(57)【要約】【課題】モノクロ画像形成時にファン騒音を抑えることができる画像形成装置の冷却装置を提供する。【解決手段】画像形成に必要な複数のプロセスユニット１４と、プロセスユニット１４から延びる複数の支流ダクト１９と、複数の支流ダクト１９と連通するメインダクト２１ａ、２１ｂと、メインダクト２１ａ、２１ｂに配設され装置内部の熱を外部に排出するファン２２とを備えた画像形成装置１１の冷却装置１８において、支流ダクト１９とメインダクト２１ａ、２１ｂとが連通する開口位置と、支流ダクト１９とメインダクト２１ａ、２１ｂとの連通を遮断する閉鎖位置との間を回動する複数のシャッタ２０と、モノクロ画像形成時とカラー画像形成時とで、シャッタ２０の開閉及び開閉角度を制御するシャッタ制御手段３８とを備えた。【選択図】図１
2009157319.tif 000002
【特許請求の範囲】
【請求項１】
画像形成に必要な複数のプロセスユニットと、該プロセスユニットから延びる複数の支流ダクトと、該複数の支流ダクトと連通するメインダクトと、該メインダクトに配設され装置内部の熱を外部に排出するファンと、を備えた画像形成装置の冷却装置において、
前記支流ダクトと前記メインダクトとが連通する開口位置と、前記支流ダクトと前記メインダクトとの連通を遮断する閉鎖位置との間を回動する複数のシャッタと、
ブラックの前記プロセスユニットのみを使用するモノクロ画像形成時と、前記複数のプロセスユニットを使用するカラー画像形成時とで、前記シャッタの開閉及び開閉角度を制御するシャッタ制御手段と、
を備えたことを特徴とする画像形成装置の冷却装置。
【請求項２】
前記画像形成装置の冷却装置は更に、
前記モノクロ画像形成時と前記カラー画像形成時とで、前記ファンの回転数を制御するファン制御手段を備えたことを特徴とする請求項１に記載の画像形成装置の冷却装置。
【請求項３】
前記モノクロ画像形成時には、
前記ブラックの前記プロセスユニットまで延びる前記支流ダクトに配設された前記シャッタが、前記開口位置に位置し、
前記ブラック以外の前記プロセスユニットまで延びる前記支流ダクトに配設された前記シャッタが、前記閉鎖位置に位置し、
前記ファン制御手段は、前記ファンの回転数が最大値より低くなるように前記ファンを制御することを特徴とする請求項２に記載の画像形成装置の冷却装置。
【請求項４】
前記カラー画像形成時には、
前記シャッタの全てが前記開口位置に位置し、
前記ファン制御手段は、前記ファンの回転数が最大値になるように前記ファンを制御することを特徴とする請求項２に記載の画像形成装置の冷却装置。
【請求項５】
前記カラー画像形成時には、
前記個々のシャッタの開閉角度が、前記ファンからの距離に比例して大きくなり、
前記ファン制御手段が、前記ファンの回転数が最大値より低くなるように前記ファンを制御することを特徴とする請求項２に記載の画像形成装置の冷却装置。
【請求項６】
画像形成に必要な複数のプロセスユニットと、該プロセスユニットから延びる複数の支流ダクトと、該複数の支流ダクトと連通するメインダクトと、該メインダクトに配設され装置内部の熱を外部に排出するファンと、を備えた画像形成装置の冷却装置において、
ブラックの前記プロセスユニットから延びる支流ダクトにのみ配設され、前記メインダクトと前記ブラックの前記プロセスユニットまで延びる前記支流ダクトのみを連通する垂直位置と、前記メインダクトと前記全ての支流ダクトを連通する水平位置との間を回動するシャッタと、
前記ブラックの前記プロセスユニットのみを使用するモノクロ画像形成時と、前記複数のプロセスユニットを使用するカラー画像形成時とで、前記シャッタの開閉及び開閉角度を制御するシャッタ制御手段と、
を備えたことを特徴とする画像形成装置の冷却装置。
【請求項７】
前記画像形成装置の冷却装置は更に、
前記モノクロ画像形成時と前記カラー画像形成時とで、前記ファンの回転数を制御するファン制御手段を備えたことを特徴とする請求項６に記載の画像形成装置の冷却装置。
【請求項８】
前記モノクロ画像形成時には、
前記シャッタが、前記垂直位置に位置し、
前記ファン制御手段は、前記ファンの回転数が最大値より低くなるように前記ファンを制御することを特徴とする請求項７に記載の画像形成装置の冷却装置。
【請求項９】
前記カラー画像形成時には、
前記シャッタが、前記水平位置に位置し、
前記ファン制御手段は、前記ファンの回転数が最大値になるように前記ファンを制御することを特徴とする請求項７に記載の画像形成装置の冷却装置。
【発明の詳細な説明】
【技術分野】
【０００１】
本発明は、ファン、ダクト及びシャッタを備えた画像形成装置の冷却装置に関する。
【背景技術】
【０００２】
一般に、画像形成装置において、プロセスユニットの現像装置から発生する熱を装置本体外に排気する必要がある。
【０００３】
例えば特許文献１には、冷却ファンと排気ファンの２つのファンを備えた冷却装置が記載されている。
【０００４】
特許文献２には、各色のプロセスカートリッジの上部に設けられた排気ダクトに配置された４つの排気ファンを備えた冷却装置が記載されている。
【０００５】
又、特許文献３には、排気ファン、環境検知手段及び使用状態検知手段を備え、温度や湿度等の環境状況と画像形成装置の使用状態とに応じて排気経路を切り換える冷却装置が記載されている。
【０００６】
しかし、いずれの特許文献に記載の冷却装置でも、モノクロ画像形成時又はカラー画像形成時に関わらずファンの回転数を制御しないため、ファンは常に全速で回転してモノクロ画像形成時のファン騒音を抑えることができないという問題があった。
【０００７】
【特許文献１】特開２００４−５３９７３号公報
【特許文献２】特開２００６−１１３３４４号公報
【特許文献３】特開２００７−７２１１０号公報
【発明の開示】
【発明が解決しようとする課題】
【０００８】
本発明は前記従来の問題点に鑑みてなされたもので、モノクロ画像形成時にファン騒音を抑えることができる画像形成装置の冷却装置を提供することを課題とする。
【課題を解決するための手段】
【０００９】
前記課題を解決するための手段として、本発明に係る画像形成装置の冷却装置は、画像形成に必要な複数のプロセスユニットと、該プロセスユニットから延びる複数の支流ダクトと、該複数の支流ダクトと連通するメインダクトと、該メインダクトに配設され装置内部の熱を外部に排出するファンと、を備えた画像形成装置の冷却装置において、前記支流ダクトと前記メインダクトとが連通する開口位置と、前記支流ダクトと前記メインダクトとの連通を遮断する閉鎖位置との間を回動する複数のシャッタと、ブラックの前記プロセスユニットのみを使用するモノクロ画像形成時と、前記複数のプロセスユニットを使用するカラー画像形成時とで、前記シャッタの開閉及び開閉角度を制御するシャッタ制御手段とを備えたものである。
【００１０】
回動して各支流ダクトとメインダクトとを連通する、又は連通を遮断する複数のシャッタの開閉及び開閉角度を制御することで、作動して熱を発生するプロセスユニットに延びる支流ダクトのみをメインダクトと連通させることができ、メインダクトを介して効果的に熱をファンまで導くことができる。
【００１１】
前記画像形成装置の冷却装置は更に、前記モノクロ画像形成時と前記カラー画像形成時とで、前記ファンの回転数を制御するファン制御手段を備えたことが好ましい。
【００１２】
モノクロ画像形成時とカラー画像形成時とで、必要に応じてファンの回転数を変化させて回転数を抑えることができるので、ファンの騒音を抑制することができる。
【００１３】
具体的な１つの手段として、前記モノクロ画像形成時には、前記ブラックの前記プロセスユニットまで延びる前記支流ダクトに配設された前記シャッタが、前記開口位置に位置し、前記ブラック以外の前記プロセスユニットまで延びる前記支流ダクトに配設された前記シャッタが、前記閉鎖位置に位置し、前記ファン制御手段は、前記ファンの回転数が最大値より低くなるように前記ファンを制御することが好ましい。
【００１４】
モノクロ画像形成時には、作動するブラックのプロセスユニットまで延びる支流ダクトのみがメインダクトと連通することで、メインダクトを介して効果的に熱をファンまで導くことができるため、ファンの回転数を抑制してファン騒音を抑えることができる。
【００１５】
他の手段として、前記カラー画像形成時には、前記シャッタの全てが前記開口位置に位置し、前記ファン制御手段は、前記ファンの回転数が最大値になるように前記ファンを制御することが好ましい。
【００１６】
更に、前記カラー画像形成時には、前記個々のシャッタの開閉角度が、前記ファンからの距離に比例して大きくなり、前記ファン制御手段が、前記ファンの回転数が最大値より低くなるように前記ファンを制御することが好ましい。
【００１７】
個々のシャッタの開閉角度が、前記ファンからの距離に比例して大きくなることで、各支流ダクトからメインダクトを介して熱を効果的にファンまで導くことができるため、ファンの回転数を抑えてファン騒音を抑制することができる。
【００１８】
画像形成に必要な複数のプロセスユニットと、該プロセスユニットから延びる複数の支流ダクトと、該複数の支流ダクトと連通するメインダクトと、該メインダクトに配設され装置内部の熱を外部に排出するファンと、を備えた画像形成装置の冷却装置において、ブラックの前記プロセスユニットから延びる支流ダクトにのみ配設され、前記メインダクトと前記ブラックの前記プロセスユニットまで延びる前記支流ダクトのみを連通する垂直位置と、前記メインダクトと前記全ての支流ダクトを連通する水平位置との間を回動するシャッタと、前記ブラックの前記プロセスユニットのみを使用するモノクロ画像形成時と、前記複数のプロセスユニットを使用するカラー画像形成時とで、前記シャッタの開閉及び開閉角度を制御するシャッタ制御手段と、を備えたことが好ましい。
【００１９】
１つのシャッタが、垂直位置と水平位置との間を回動して、各支流ダクトとメインダクトとを連通させる又は連通を遮断することができる。従って、作動して熱を発生するプロセスユニットに延びる支流ダクトのみをメインダクトと連通させることができ、メインダクトを介して効果的に熱をファンまで導くことができる。
【００２０】
前記画像形成装置の冷却装置は更に、前記モノクロ画像形成時と前記カラー画像形成時とで、前記ファンの回転数を制御するファン制御手段を備えたことが好ましい。
【００２１】
具体的な１つの手段として、前記モノクロ画像形成時には、前記シャッタが、前記垂直位置に位置し、前記ファン制御手段は、前記ファンの回転数が最大値より低くなるように前記ファンを制御することが好ましい。
【００２２】
モノクロ画像形成時には、シャッタが垂直位置に位置して、作動するブラックのプロセスユニットまで延びる支流ダクトのみがメインダクトと連通することで、メインダクトを介して効果的に熱をファンまで導くことができるため、ファンの回転数を抑制してファン騒音を抑えることができる。
【００２３】
他の手段として、前記カラー画像形成時には、前記シャッタが、前記水平位置に位置し、前記ファン制御手段は、前記ファンの回転数が最大値になるように前記ファンを制御することが好ましい。
【発明の効果】
【００２４】
本発明に係る画像形成装置の冷却装置によれば、モノクロ画像形成時又はカラー画像形成時に応じてファンの回転数を制御できるので、モノクロ画像形成時にはファンの回転数を抑制して、ファン騒音を抑えることができる。
【発明を実施するための最良の形態】
【００２５】
次に、添付図面を参照して本発明の実施形態を詳細に説明する。
【００２６】
図１に、本発明の実施形態に係る画像形成装置１１を示す。まず、画像形成装置１１の概略構成を説明する。画像形成装置１１は、その内部のほぼ中央部に像担持体として中間転写ベルト１２を備えている。中間転写ベルト１２は、ローラ１３ａ、１３ｂの外周部に支持されて矢印Ａ方向に回転駆動されるようになっている。駆動ローラ１３ａは図示しない駆動モータに連結され、この駆動ローラ１３ａの回転に伴い、従動ローラ１３ｂが従動回転するようになっている。中間転写ベルト１２の下部水平部の下には、イエロー(Ｙ)、マゼンタ(Ｍ)、シアン(Ｃ)、ブラック(Ｋ)の各色にそれぞれ対応する４つのプロセスユニット１４Ｙ、１４Ｍ、１４Ｃ、１４Ｋが中間転写ベルト１２に沿って並んで配置されている。各プロセスユニット１４Ｙ、１４Ｍ、１４Ｃ、１４Ｋは、感光体ドラム１５Ｙ、１５Ｍ、１５Ｃ、１５Ｋ及び現像装置１６Ｙ、１６Ｍ、１６Ｃ、１６Ｋをそれぞれ有している。各感光体ドラム１５Ｙ、１５Ｍ、１５Ｃ、１５Ｋの周囲には、中間転写ベルト１２を挟んで各感光体ドラム１５Ｙ、１５Ｍ、１５Ｃ、１５Ｋと対向する１次転写ローラ１７Ｙ、１７Ｍ、１７Ｃ、１７Ｋがそれぞれ配置されている。現像装置１６Ｙ、１６Ｍ、１６Ｃ、１６Ｋの上方には、現像装置１６Ｙ、１６Ｍ、１６Ｃ、１６Ｋとその近傍のエレメントを冷却する冷却装置１８が配置されている。中間転写ベルト１２の駆動ローラ１３ａで支持された部分には、２次転写ローラ（転写ローラ）２３が圧接されており、２次転写ローラ２３と中間転写ベルト１２とのニップ部が、転写部２４になっている。通紙路２５ａの更に下流には定着ローラ２６と加圧ローラ２７とが配設されており、この圧接部が定着ニップ領域２８となっている。
【００２７】
画像形成装置１の下部には、第１、第２、第３、第４の４種類の給紙部２９ａ、２９ｂ、２９ｃ、２９ｄが設けられ、第１給紙部２９ａと第２給紙部２９ｂは上下に配置され、第３給紙部２９ｃと第４給紙部２９ｄは第２給紙部２９ｂの下方で左右に配置される。各給紙部２９ａ、２９ｂ、２９ｃ、２９ｄ内に積載収容された用紙Ｓは、最上部のものから１枚ずつ通紙路２５ｂに送り出されることになる。また画像形成装置１１の側部には循環路３１が設けられている。排紙ローラ３２でスイッチバックした片面印刷済みの用紙は、循環路３１を介して下方に搬送され、未印刷面が中間転写ベルト１２側に向いた状態で通紙路２５ｂを再度上方に搬送されるようになっている。前記循環路３１の下方には、手差し給紙装置３３が設けられる。手差し給紙装置３３と各給紙部２９ａ、２９ｂ、２９ｃ、２９ｄからの通紙路２５ｃには、図１で代表的に示すように用紙Ｓを給紙するための給紙ローラ３４が配設されている。また３５はプロセスユニット１４Ｙ、１４Ｍ、１４Ｃ、１４Ｋに画像信号に基づいて露光する露光部３５を示す。
【００２８】
次に、以上の構成からなる画像形成装置１１の概略動作について説明する。
【００２９】
画像読取部３６で画像を読み取って得られたカラープリントデータ、又はパーソナルコンピュータ等から出力された画像データは、露光部３５で所定の信号処理が施された後、イエロー(Ｙ)、マゼンタ(Ｍ)、シアン(Ｃ)、黒(Ｋ)の各色の画像信号として、各プロセスユニット１４Ｙ、１４Ｍ、１４Ｃ、１４Ｋに供給される。各プロセスユニット１４Ｙ、１４Ｍ、１４Ｃ、１４Ｋでは、それぞれの感光体ドラム１５（１５Ｙ、１５Ｍ、１５Ｃ、１５Ｋ）上に画像信号で変調されたレーザ光が投射されて画像潜像が形成される。各感光体ドラム１５Ｙ、１５Ｍ、１５Ｃ、１５Ｋ上にはイエロー、マゼンタ、シアン、黒のトナー画像が形成される。形成されたイエロー、マゼンタ、シアン、黒のトナー画像は、１次転写ローラ１７Ｙ、１７Ｍ、１７Ｃ、１７Ｋの作用により、移動する中間転写ベルト１２上に順次重ね合わせて１次転写される。このようにして中間転写ベルト１２上に形成された重ね合わせトナー画像は、中間転写ベルト１２の移動にしたがって転写部２４に達する。この転写部２４において、重ね合わされた各色トナー画像は２次転写ローラ２３の作用により、給紙部２９ａ、２９ｂ、２９ｃ、２９ｄ又は手差し給紙装置３３から、供給された用紙Ｓに一括して２次転写される。次にトナー画像が２次転写された用紙Ｓは、定着ニップ領域２８に達する。定着ニップ領域２８においては、トナー画像は定着ローラ２６及び加圧ローラ２７の作用により用紙Ｓに定着される。トナー画像が定着された用紙Ｓは、排紙ローラ３２を介して排紙トレイ３７に排出される。
【００３０】
次に本発明に係る冷却装置１８について説明する。図１に示すように、各プロセスユニット１４Ｙ、１４Ｍ、１４Ｃ、１４Ｋの上方に配置された冷却装置１８は、プロセスユニット１４（１４Ｙ、１４Ｍ、１４Ｃ、１４Ｋ）から上方に向かって延びる複数の支流ダクト１９（１９Ｙ、１９Ｍ、１９Ｃ、１９Ｋ）と、該支流ダクト１９の上端に回動可能に配設された第１〜第４シャッタ２０ａ、２０ｂ、２０ｃ、２０ｄと、支流ダクト１９と連通して水平方向に延びるメインダクト２１ａと、該メインダクト２１ａの端部に配設され、外部と連通して画像形成装置１１内部の熱を外部に排気するファン２２とから構成されている。
【００３１】
４本の支流ダクト１９Ｙ、１９Ｍ、１９Ｃ、１９Ｋは、図２に示すように、各色のプロセスユニット１４Ｙ、１４Ｍ、１４Ｃ、１４Ｋの後方に配設されて、下端がプロセスユニット１４Ｙ、１４Ｍ、１４Ｃ、１４Ｋの近傍で開口している。
【００３２】
第１シャッタ２０ａは、イエローのプロセスユニット１４Ｙ後方から延びる支流ダクト１９Ｙの上端に設置されている。第２シャッタ２０ｂは、マゼンタのプロセスユニット１４Ｍ後方から延びる支流ダクト１９Ｍの上端に設置されている。第３シャッタ２０ｃは、シアンのプロセスユニット１４Ｃ後方から延びる支流ダクト１９Ｃの上端に設置されている。第４シャッタ２０ｄは、ブラックのプロセスユニット１４Ｋ後方から延びる支流ダクト１９Ｋの上端に設置されている。各シャッタ２０（２０ａ、２０ｂ、２０ｃ、２０ｄ）は、図３に示すように、支流ダクト１９とメインダクト２１ａとが連通する開口位置と、支流ダクト１９とメインダクト２１ａとの連通を遮断する閉鎖位置との間を軸４１周りに回動可能である。各シャッタ２０は図４に示すように、制御部３８により回転制御されるモータ４２（４２ａ、４２ｂ、４２ｃ、４２ｄ）と接続されている。シャッタ２０は、例えば樹脂製であるが、熱を遮断できる限りその形状や材料は特に限定されない。
【００３３】
各シャッタ２０は図４に示すように個別にモータ４２と接続する代わりに、図３に示すように第１〜第３シャッタ２０ａ、２０ｂ、２０ｃは１つのモータ４２に接続し、第４シャッタ２０ｄはこれと別のモータ４２に接続してもよい。シャッタ２０は、軸４１を介して開閉用ウォームホイール４４と接続されている。開閉用ウォームホイール４４は、メインダクト２１ａに沿って延びるシャフト４５と連結する開閉用ウォーム４６と噛み合っている。第１シャッタ２０ａ、第２シャッタ２０ｂ、第３シャッタ２０ｃの開閉用ウォーム４６は、同軸シャフト４５に連結され、シャフト４５の端部にはギヤ４７が連結している。ギヤ４７は、モータ４２と連結するモータギヤ４８と噛み合っている。
【００３４】
メインダクト２１ａは、図２に示すように、支流ダクト１９の上端とシャッタ２０を介して連通して、画像形成装置１１内部を水平方向に延びている。
【００３５】
ファン２２は、メインダクト２１ａの端部に例えば、ねじ（図示せず）を介して、又は爪止めにより取り付けられている。ただし、メインダクト２１ａ内の熱を画像形成装置１１外部に排出する限りファン２２の形状は特に限定されない。
【００３６】
第１シャッタ２０ａ、第２シャッタ２０ｂ、第３シャッタ２０ｃの開閉又は開閉角度を制御するモータ４２ａ、４２ｂ、４２ｃ、第４シャッタ２０ｄの開閉又は開閉角度を制御するモータ４２ｄ及びファン２２の回転を制御するモータ４２ｅは、シャッタ２０及びファン２２の制御手段である制御部３８によって制御される。
【００３７】
次に、図３を参照して、本発明に係るシャッタ２０の動作を説明する。図３（ａ）に示すように、例えばシャッタ２０ａ、２０ｂ、２０ｃが閉じた状態からプロセスユニット１４が作動すると、図３（ｂ）に示すようにモータ４２の駆動により、モータギヤ４８がＢ方向に回動して、ギヤ４７はＣ方向に回動する。ギヤ４７がＣ方向に回動すると、シャフト４５及び開閉用ウォーム４６もＣ方向に回動する。開閉用ウォーム４６がＣ方向に回動すると、開閉用ウォームホイール４４はＤ方向に回動し、同時にシャッタ２０ａ、２０ｂ、２０ｃも軸４１周りにＤ方向に回動して開口する。
【００３８】
各支流ダクト１９とメインダクト２１ａとを連通する、又は連通を遮断する複数のシャッタ２０の開閉及び開閉角度を制御することで、作動して熱を発生するプロセスユニット１４に延びる支流ダクト１９のみをメインダクト２１ａと連通させることができ、メインダクト２１ａを介して効果的に熱をファン２２まで導くことができる。
【００３９】
ブラックのプロセスユニット１４Ｋのみを使用するモノクロ画像形成時には、図４に示すように、第４シャッタ２０ｄが開口して支流ダクト１９とメインダクト２１ａとが連通するので、ブラックの現像装置１６Ｋから発生する熱は、支流ダクト１９とメインダクト２１ａを介してファン２２まで到着し、該ファン２２から外部に排気される。一方で第１〜第３シャッタ２０ａ、２０ｂ、２０ｃは閉鎖して支流ダクト１９Ｙ、１９Ｍ、１９Ｃとメインダクト２１ａとの連通を遮断している。メインダクト２１ａは、支流ダクト１９とのみ連通しているため、ブラックの現像装置１６Ｋから効果的に熱をファン２２まで導いて、ファン２２の回転数を低くすることができる。ファン２２の回転数は、例えばカラー画像形成時の１/４にまで低くすることができる。従って、モノクロ画像形成時のファン２２による騒音を抑制することができる。
【００４０】
イエロー、マゼンタ、シアン、ブラックの各色のプロセスユニット１４を使用するカラー画像形成時には、図５に示すように第１〜第３シャッタ２０ａ、２０ｂ、２０ｃが同じ角度で、第４シャッタ２０ｄがそれよりも大きい角度で開口して、支流ダクト１９とメインダクト２１ａとが連通している。従って、各色の現像装置１６（１６Ｙ、１６Ｍ、１６Ｃ、１６Ｋ）から発生する熱は、支流ダクト１９とメインダクト２１ａを介してファン２２まで到着し、回転数が最大値であるファン２２から外部に排気される。
【００４１】
又、カラー画像形成時には、図６に示すように、シャッタ２０の開閉角度をファン２２からの距離に比例して大きくなるように制御してもよい。ファン２２に最も近い第１シャッタ２０ａの開閉角度θ１を最小にして、第２、第３シャッタ２０ｂ、２０ｃの開閉角度θ２、θ３を順に大きくし、ファンに最も遠い第４シャッタ２０ｄの開閉角度θ４を最大にすることで、各支流ダクト１９からメインダクト２１ａを介して熱を効果的にファン２２まで導くことができる。このため、ファン２２の回転数を低くしてファン２２の騒音を抑制することができる。
【００４２】
図７は前記実施形態の変形例を示すが、前記実施形態と同一の要素には同一の符号を付して説明を省略する。図７の変形例は、ファン２２がメインダクト２１ｂの前記実施形態とは反対側の右端部すなわち、ブラックの現像装置１６Ｋ側に配設されている。第５シャッタ２０ｅのみが、ブラックの現像装置１６Ｋから延びる支流ダクト１９Ｋの上端に、支流ダクト１９Ｋのみがメインダクト２１ｂと連通して他の支流ダクト１９Ｙ、１９Ｍ、１９Ｃとメインダクト２１ｂとの連通を遮断する垂直位置と、各支流ダクト１９Ｙ、１９Ｍ、１９Ｃ、１９Ｋがメインダクト２１ｂと連通する水平位置との間を回動可能に設置されている。
【００４３】
第５シャッタ２０ｅが、垂直位置と水平位置との間を回動して、各支流ダクト１９Ｙ、１９Ｍ、１９Ｃ、１９Ｋとメインダクト２１ｂとを連通させる又は連通を遮断することができるため、作動して熱を発生するプロセスユニット１４に延びる支流ダクト１９のみをメインダクト２１ｂと連通させることができ、メインダクト２１ｂを介して効果的に熱をファン２２まで導くことができる。
【００４４】
モノクロ画像形成時には、図７（ａ）に示すように、第５シャッタ２０ｅは、垂直位置に位置している。メインダクト２１ｂが、ブラックの現像装置１６Ｋに配設された支流ダクト１９Ｋとのみ連通しているため、ブラックの現像装置１６Ｋから効果的に熱をファン２２まで導いて、ファン２２の回転数を低くすることができる。従って、モノクロ画像形成時のファン２２による騒音を抑制することができる。
【００４５】
カラー画像形成時には、図７（ｂ）に示すように、第５シャッタ２０ｅは、水平位置に位置するので、各色の現像装置１６から発生する熱は、支流ダクト１９とメインダクト２１ｂを介してファン２２まで到着し、回転数が最大値であるファン２２から外部に排気される。
【図面の簡単な説明】
【００４６】
【図１】本発明の実施形態に係る画像形成装置の概略図。
【図２】（ａ）本発明の第１実施形態に係る冷却装置の上面図（ｂ）本発明の第１実施形態に係る冷却装置の正面図。
【図３】（ａ）モノクロ画像形成時の本発明の第１実施形態に係る冷却装置の斜視図（ｂ）カラー画像形成時の本発明の第１実施形態に係る冷却装置の斜視図。
【図４】モノクロ画像形成時の本発明の第１実施形態に係る冷却装置の側面図。
【図５】カラー画像形成時の本発明の第１実施形態に係る冷却装置の側面図。
【図６】カラー画像形成時の本発明の第１実施形態に係る変形例の冷却装置の側面図。
【図７】（ａ）モノクロ画像形成時の本発明の第２実施形態に係る冷却装置の側面図（ｂ）カラー画像形成時の本発明の第２実施形態に係る冷却装置の側面図。
【符号の説明】
【００４７】
１1  画像形成装置
１４、１４Ｙ、１４Ｍ、１４Ｃ、１４Ｋ  プロセスユニット
１８  冷却装置
１９、１９Ｙ、１９Ｍ、１９Ｃ、１９Ｋ  支流ダクト
２０  シャッタ
２０ａ  第１シャッタ
２０ｂ  第２シャッタ
２０ｃ  第３シャッタ
２０ｄ  第４シャッタ
２０ｅ  第５シャッタ
２１ａ、２１ｂ  メインダクト
２２  ファン
３８  制御部（シャッタ及びファン制御手段）
【図１】
2009157319.tif 000003
【図２】
2009157319.tif 000004
【図３】
2009157319.tif 000005
【図４】
2009157319.tif 000006
【図５】
2009157319.tif 000007
【図６】
2009157319.tif 000008
【図７】
2009157319.tif 000009